(57)【要約】【課題】回動する板体と板体を支持する支持部材とが使用者から望める位置に設けられていたとしても、簡易な構成で両部材の間への使用者の指挟みを防止する。【解決手段】ホルダーユニット２２に回動部材５０が回動自在に設けられ、ホルダーユニット２２は、板体２１が使用状態であるときに回動部材５０に突き当たる回動部材角度規制部４７Ｂを備え、回動部材５０は、板体２１が使用状態であるときに板体２１に突き当たり、板体２１を支持する第一ガイド面５５ａを備え、板体２１を不使用状態から使用状態に向けて回動させるときに、板体２１が所定角度回動することによって第一ガイド面５５ａに突き当たった状態で板体２１が回動部材５０と一体に回動する。【選択図】図１０
2015000182.tif 000002
【特許請求の範囲】
【請求項１】
板体が家具本体に回動可能に支持され、前記板体の使用面が上方を向く使用状態と、前記使用面が前記家具本体の取付面に対向した不使用状態とに切り替え可能な家具であって、
前記家具本体に固定された支持部材と、
前記支持部材に回動可能に設けられた回動部材と、を備え、
前記支持部材は、前記板体が前記使用状態であるときに前記回動部材に突き当たることで前記回動部材の回転角度を規制する回動部材角度規制部と、を備え、
前記回動部材は、
前記板体が前記使用状態であるときに前記板体に突き当たって前記板体を支持する第一の支持部を備え、
前記板体を前記不使用状態から前記使用状態に向けて回動させるときに、前記板体が所定角度回動することによって前記第一の支持部に突き当たった状態で、前記板体が前記回動部材と一体に回動することを特徴とする家具。
【請求項２】
前記回動部材は、
前記第一の支持部に対して前記不使用状態側に所定角度傾斜し、前記板体が前記不使用状態であるときに前記板体に突き当たる第二の支持部をさらに備え、
前記板体を前記不使用状態から前記使用状態に向けて回動させるときに、前記板体が前記第二の支持部から離間して前記所定角度回動することによって前記第一の支持部に突き当たった状態で、前記板体が前記回動部材と一体に回動することを特徴とする請求項１に記載の家具。
【請求項３】
前記板体が前記使用状態であるときに突き当たることで前記板体の角度を規制する板体角度規制部をさらに備えることを特徴とする請求項１または２に記載の家具。
【請求項４】
前記回動部材は、前記板体を前記板体の側端部に沿ってスライド移動自在に支持し、
前記支持部材は、前記板体が使用状態であるときのみ、該板体が前記取付面に接近する方向に移動するのを規制する板体移動規制部を備えていることを特徴とする請求項１から３のいずれか一項に記載の家具。
【請求項５】
前記回動部材に、前記板体がスライド移動したときに減衰力を付与するダンパー部材が設けられていることを特徴とする請求項４に記載の家具。
【請求項６】
前記板体を前記使用状態から前記不使用状態に向けて回動させるときに、前記板体の回動動作と前記板体の下方へのスライド動作とが並行して行われるよう前記板体を案内する案内機構をさらに備えていることを特徴とする請求項１から５のいずれか一項に記載の家具。
【請求項７】
前記案内機構が、前記支持部材に形成されたガイド溝と、
前記板体に設けられ、前記ガイド溝内に挿入されるガイド突起と、を備えていることを特徴とする請求項６に記載の家具。
【請求項８】
前記案内機構が、前記板体を前記使用状態から前記不使用状態に向けて回動させるときに、前記板体の一部が突き当たりながら摺動するガイド面を備えていることを特徴とする請求項６または７に記載の家具。
【発明の詳細な説明】
【技術分野】
【０００１】
本発明は、使用面にて荷重を支持するテーブル天板等の板体を、家具本体に対し、板体の使用面が略上方を向く使用状態と、板体を回動させて家具本体に沿わせた不使用状態との間で回動可能に設けた家具に関する。
【背景技術】
【０００２】
例えば、劇場、講堂、会議場、講義室等で、前後左右に並べて複数設置される椅子において、その背もたれに、物品等を載置したり、その天面（使用面）上で筆記作業等を行うことのできるテーブルを備えたものがある。このようなテーブルを備えた椅子（テーブル付き家具）は、後列の椅子に着席した使用者が、前列の椅子の背もたれに設けられたテーブルを使用する。
さらに、同じ列に並んだ複数の椅子間における着席者の移動を容易とするため、テーブル天板（板体）の使用面が略上方を向いた使用状態と、テーブル天板を回動させて背もたれに沿わせた不使用状態との間で、テーブル天板を回動できるようにしたものがある。
【０００３】
このようなテーブルは、使用者が対向した状態でテーブル天板の幅方向両端部が背もたれに回動自在に支持されている。そして、使用状態と不使用状態とのそれぞれで、テーブル天板の回動角度を規制するため、ストッパ機構が備えられている。
【０００４】
このような家具においては、使用者がテーブル天板を回動させるときに、指等をストッパ機構等に挟まないようにする必要がある。
【０００５】
そこで、特許文献１には、椅子の背凭れの背面に固定される支持ベースを、テーブル本体を支持する回動ケース内に回動可能に収容するとともに、回動ケースの内部に設けた円弧状凹部と、支持ベースから突設して回動ケースの内部に隠されるストッパピンとによって、回動ケース、およびそれに支持されるテーブル本体の回動範囲を規制する構成が開示されている。
このような構成においては、回動ケース内に、支持ベース、円弧状凹部、ストッパピンが位置するため、テーブルの使用者が、テーブル本体を回動させる際に、家具本体とテーブル本体との間の狭まる空間に指を挟むのを防いでいる。
【先行技術文献】
【特許文献】
【０００６】
【特許文献１】特許第４８６５６７９号公報（明細書段落［００２１］、図４）
【発明の概要】
【発明が解決しようとする課題】
【０００７】
しかしながら、上記特許文献１の構成においては、ストッパピンを回動ケースの内部空間に収容する必要があるため、回動ケースやストッパピンを含むテーブルを回動及び所定位置で回動規制する機構が複雑化するとともに、各部材の部材寸法が制限されてしまう問題があった。一方で、空間的制限を設けずに必要な部材寸法を確保して各部材を配置するようにすれば、別途指挟みを防止するための保護手段等を設ける必要が生じてしまい、結果としてテーブルを回動させる機構全体が大型化してしまう。
そこでなされた本発明の目的は、使用者から望める位置に設けられていたとしても、簡易な構成で使用者の指挟みを防止することができる家具を提供することである。
【課題を解決するための手段】
【０００８】
本発明は、上記課題を解決するため、以下の手段を採用する。
すなわち、本発明は、板体が家具本体に回動可能に支持され、前記板体の使用面が上方を向く使用状態と、前記使用面が前記家具本体の取付面に対向した不使用状態とに切り替え可能な家具であって、前記家具本体に固定された支持部材と、前記支持部材に回動可能に設けられた回動部材と、を備え、前記支持部材は、前記板体が前記使用状態であるときに前記回動部材に突き当たることで前記回動部材の回転角度を規制する回動部材角度規制部と、を備え、前記回動部材は、前記板体が前記使用状態であるときに前記板体に突き当たって前記板体を支持する第一の支持部を備え、前記板体を前記不使用状態から前記使用状態に向けて回動させるときに、前記板体が所定角度回動することによって前記第一の支持部に突き当たった状態で、前記板体が前記回動部材と一体に回動することを特徴とする。
板体を不使用状態から使用状態に向けて回動させるときには、板体のみが第一の支持部に突き当たるまで回動する第一の段階と、板体が第一の支持部に突き当たってから回動部材と一体に回動する第二の段階と、を経ることとなる。このようにして、板体は二段階に回動する。そして、第一の段階では、板体と第一の支持部に隙間が生じているが、その隙間は、不使用状態から使用状態まで回動する範囲の一部をなす所定角度分であり、板体の不使用状態から使用状態までの回動角度に比べて小さい。したがって、板体と第一の支持部との隙間を、使用者の指が挟まりにくい大きさにすることができる。
また、第二の段階では、板体が回動部材と一体に回動するが、不使用状態から使用状態までの回動部材の回動角度は、第一の段階で板体のみが回動しているため、板体の不使用状態から使用状態までの回動角度に比べて小さい。したがって、回動部材の周囲に形成される隙間も小さくて済み、この点においても使用者の指が挟まりにくい。
【０００９】
また、前記回動部材は、前記第一の支持部に対して前記不使用状態側に所定角度傾斜し、前記板体が前記不使用状態であるときに前記板体に突き当たる第二の支持部をさらに備え、前記板体を前記不使用状態から前記使用状態に向けて回動させるときに、前記板体が前記第二の支持部から離間して前記所定角度回動することによって前記第一の支持部に突き当たった状態で、前記板体が前記回動部材と一体に回動するようにしてもよい。
【００１０】
前記板体が前記使用状態であるときに突き当たることで前記板体の角度を規制する板体角度規制部をさらに備えるようにしてもよい。
これにより、使用面を上方に向けた使用状態においては、板体が回動部材に設けられた第一の支持部と支持部材に設けられた板体角度規制部とにより支持される。このため板体の支持強度を大きくすることができる。これにより、支持部材が大型化して外観体裁を損なったり、支持部材が家具から大きく突出して有効空間内での家具の並設可能数を減らすのを防ぐことができる。
【００１１】
また、前記回動部材は、前記板体を前記板体の側端部に沿ってスライド移動自在に支持し、前記支持部材は、前記板体が使用状態であるときのみ、該板体が前記取付面に接近する方向に移動するのを規制する板体移動規制部を備えているようにしてもよい。
このような構成により、板体は、使用状態であるときのみ、板体移動規制部によりスライド移動が規制されており、使用状態と不使用状態との間の回動動作中や、不使用状態にあるときには、板体移動規制部による規制が解除され、板体のスライド移動が可能な状態となっている。
【００１２】
また、前記回動部材に、前記板体がスライド移動したときに減衰力を付与するダンパー部材が設けられているようにしてもよい。
ダンパー部材によって板体のスライド移動に減衰力が付与されることによって、板体が急激にスライドするのを防ぎ、スムーズにスライドさせることができる。
【００１３】
また、前記板体を前記使用状態から前記不使用状態に向けて回動させるときに、前記板体の回動動作と前記板体の下方へのスライド動作とが並行して行われるよう前記板体を案内する案内機構をさらに備えているようにしてもよい。
板体を、使用面が上方を向いた使用状態から回動させて使用面を家具本体の取付面に対向させた後、さらに取付面に対向した状態のまま下方にスライドさせて収納させる構成とすることがある。このような構成において、板体の回動動作とスライド動作とを並行して行うことにより、これら二つの動作を２段階に行う場合に比較して、短時間で板体を収納できる。また、回動動作とスライド動作が並行して行われることにより、板体の動作がスムーズな上質なものとなる。さらに、回動動作が完了した時点では、スライド動作の一部も終えているため、その後に行われるスライド動作の移動ストロークが小さくて済む。これにより、板体が下方にスライドするときに生じる衝撃等を小さくすることが可能となる。
【００１４】
前記案内機構は、前記支持部材に形成されたガイド溝と、前記板体に設けられ、前記ガイド溝内に挿入されるガイド突起と、を備えているようにしてもよい。
このような案内機構においては、板体を回動させるときに、板体に設けられたガイド突起がガイド溝に沿って案内されることによって、回動動作とスライド動作を確実に並行して行うことができる。
また、ガイド溝とガイド突起との寸法精度を厳密にすることによって、板体と支持部材との間に生じるガタを最小限に抑えることができる。
【００１５】
また、前記案内機構は、前記板体を前記使用状態から前記不使用状態に向けて回動させるときに、前記板体の一部が突き当たりながら摺動するガイド面を備えているようにしてもよい。
このように板体の一部をガイド面で案内することによっても、回動動作とスライド動作を確実に並行して行うことができる。
【発明の効果】
【００１６】
本発明によれば、回動する板体と板体を支持する支持部材とが使用者から望める位置に設けられていたとしても、簡易な構成で両部材の間への使用者の指挟みを防止することができる。
【図面の簡単な説明】
【００１７】
【図１】本実施形態に係るテーブル付き椅子の一例を示す図であり、折畳み式テーブルを収納状態とした斜視図である。
【図２】本実施形態に係るテーブル付き椅子一例を示す図であり、折畳み式テーブルを使用状態とした斜視図である。
【図３】折畳み式テーブルの部品構成を示す図であって、使用者側から見た斜視図である。
【図４】折畳み式テーブルの部品構成を示す図であって、図３とは反対側から見た斜視図である。
【図５】ホルダー部材の形状を示す斜視図であり、（ａ）はホルダー部材を斜め前方から見た斜視図、（ｂ）はホルダー部材を斜め後方から見た斜視図である。
【図６】ホルダー部材をテーブル天板側から見た側面図である。
【図７】回動部材の形状を示す図であって、（ａ）は回動プレート部側から見た斜視図、（ｂ）はガイドブロック側から見た斜視図、（ｃ）は回動プレート部側から見た側面図である。
【図８】ホルダー部材、回動部材、ダンパーユニットの組み付け状態を示す図であり、支持部材をスライドレールに平行な断面で見た断面図である。
【図９】テーブル天板が収納状態にあるときの支持部材を示す斜視図である。
【図１０】テーブル天板を引き上げた状態（折畳み状態）にあるときの支持部材を示す斜視図である。
【図１１】テーブル天板を引き上げた状態（折畳み状態）にあるときの支持部材を示す側面図である。
【図１２】テーブル天板が回動途中にあるときの支持部材を示す斜視図である。
【図１３】テーブル天板が回動途中にあるときの支持部材を示す側面図である。
【図１４】テーブル天板が使用状態にあるときの支持部材を示す斜視図である。
【図１５】テーブル天板が使用状態にあるときの支持部材を示す側面図である。
【発明を実施するための形態】
【００１８】
以下、添付図面を参照して、本発明による家具を実施するための最良の形態を説明する。しかし、本発明はこれらの実施例のみに限定されるものではない。
【００１９】
図１、図２は、本実施形態に係るテーブル付き椅子（家具）１０の一例を示す図であり、図１はテーブルユニット２０を不使用状態（収納状態）とした斜視図、図２はテーブルユニット２０を使用状態とした斜視図である。図３、図４は、テーブルユニット２０の部品構成を示す図であって、図３は使用者側から見た斜視図、図４は、図３とは反対側から見た斜視図である。
以下の説明において、テーブル付き椅子（家具）１０に使用者が着席した状態で使用者が前を向く側を「前方」、その反対側を「後方」とすることがある。
図１、図２に示すように、テーブル付き椅子１０は、例えば劇場、講堂、ホール、会議場、講義室等において、前後左右に並べて複数設置されるものであり、床面上に不図示の支持脚を介して設けられる背もたれ部材（家具本体）１２と、背もたれ部材（家具本体）１２に設けられる座面部１３とを備えている。そして、テーブル付き椅子１０は背もたれ部材１２の背面に、テーブルユニット２０を備えている。
【００２０】
このようなテーブル付き椅子１０の背もたれ部材１２に設けられたテーブルユニット２０は、板状のテーブル天板（板体）２１と、背もたれ部材１２の背面（取付面）１２ａに固定され、テーブル天板２１の幅方向両端部を支持する一対のホルダーユニット２２，２２と、から構成されている。
【００２１】
図１〜図４に示すように、テーブル天板２１の幅方向両端部には、テーブル天板２１の側端部に沿ってそれぞれ連続するスライドレール（側端部）８０がビス留めされて設けられている。
スライドレール８０において、テーブル天板２１の使用面２１ａとは反対側を向く面８０Ｓには、その軸線方向に連続するラック溝８１が形成されている。ラック溝８１の軸線方向両端部には、テーブル天板２１の使用面２１ａとは反対側に突出する突起部８２ａ，８２ｂが形成されている。
また、スライドレール８０の一端部（テーブル天板２１の使用面２１ａを上方に向けた状態で背もたれ部材１２に近接する側の端部）８０ａにおいて、テーブル天板２１側を向く側とは反対側の側面８０ｂには、側面８０ｂから直交して突出する円柱状のガイド突起８３が設けられている。
【００２２】
ホルダーユニット２２，２２は、テーブル天板２１を、ホルダーユニット２２，２２どうしを結ぶ軸線を中心として回動可能に、かつテーブル天板２１の側端部のスライドレール８０に沿った方向にスライド移動可能に支持し、テーブル天板２１の使用面２１ａを上方に向けた使用状態（図２参照）と、テーブル天板２１を跳上げて使用面２１ａを背もたれ部材１２の背面１２ａに対向させた跳上げ状態（不使用状態）（図１０、図１１参照）と、テーブル天板２１を跳上げ状態から背面１２ａに対向させた状態のまま下方にスライドさせた収納状態（不使用状態）（図１参照）と、の間で姿勢を切り替えることができるようになっている。
【００２３】
以下、ホルダーユニット２２の構成について説明する。なお、テーブル天板２１の両側に位置するホルダーユニット２２，２２は、左右対称な構成であるので、一方の側のホルダーユニット２２のみについて説明し、他方の側のホルダーユニット２２についてはその説明を省略する。
図３、図４に示すように、ホルダーユニット２２は、背もたれ部材１２の背面１２ａに固定されるホルダー部材（支持部材）３０と、ホルダー部材３０に軸支されて回動自在に設けられるとともに、テーブル天板２１をスライド自在に支持する回動部材５０と、回動部材５０と一体に設けられ、テーブル天板２１の回動部材５０に対するスライド動作に緩衝効果を付与するダンパーユニット（ダンパー部材）７０と、を備えている。
【００２４】
図５は、ホルダー部材３０の形状を示す斜視図であり、（ａ）はホルダー部材３０を斜め前方から見た斜視図、（ｂ）はホルダー部材３０を斜め後方から見た斜視図である。また、図６は、ホルダー部材３０をテーブル天板２１側から見た側面図である。
図５、図６に示すように、ホルダー部材３０は、その一面側に、背もたれ部材１２の背面１２ａに対向する平面状の取付面３１を有している。取付面３１は、上下方向に長い矩形状をなしている。
取付面３１の一部には、取付面３１に直交する方向に所定の深さを有した凹部３２が形成されている。図４に示すように、凹部３２には、テーブル天板２１を挟んで両側に位置するホルダー部材３０，３０どうしを連結するための連結プレート２３が固定される。このため、凹部３２は、連結プレート２３の板厚と同等の深さに形成されており、連結プレート２３の端部２３ａを凹部３２に嵌め込むと、連結プレート２３とその周囲の取付面３１とがほぼ面一となる。凹部３２にはビス穴３２ｂが形成されている。一方、連結プレート２３には貫通孔２３ｈが形成されており、この貫通孔２３ｈを通して、ビス２４をビス孔２３ｂにねじ込むことにより、連結プレート２３の端部２３ａがホルダー部材３０に固定される。
【００２５】
ホルダー部材３０は、取付面３１を背もたれ部材１２の背面１２ａに沿わせた状態で、背もたれ部材１２の背面１２ａ側の一端３０ａから、背もたれ部材１２の背面１２ａから離間した側の他端３０ｂに向けて、上下方向の長さが漸次縮小するよう、側面視略Ｄ字状に形成されている。これにより、背もたれ部材１２の背面１２ａから突出するホルダー部材３０をなるべく小型化している。
【００２６】
このホルダー部材３０は、テーブル天板２１に対向する側とは反対側が、背もたれ部材１２の背面１２ａに直交するよう立ち上がる平面状の側面部３３とされている。
そして、側面部３３の外周縁部に沿って、側面部３３に直交する外周面部３４が形成されている。図５、図６に示すように、外周面部３４には、取付面３１に向けて連続するボルト挿通孔３５が、例えば２箇所に形成されている。各ボルト挿通孔３５内には、その内径が拡径することによって、固定ボルト３６の頭部３６ｂが突き当たる座面３５ａが形成されている。
各ボルト挿通孔３５に固定ボルト３６を挿入し、その先端部を背もたれ部材１２の背面１２ａに形成された不図示のネジ孔にねじ込むことによって、ホルダー部材３０は、背もたれ部材１２の背面１２ａに固定される。
【００２７】
ホルダー部材３０には、テーブル天板２１に対向する側に、基準面４０と、収容凹部４１と、回動シャフト４２と、天板ストッパ部４３と、ガイド溝４４と、天板ガイドブロック部４５とが形成されている。
【００２８】
基準面４０は、反対側の側面部３３と平行に形成されている。
収容凹部４１は、基準面４０に対し側面部３３側に向けて凹み、回動部材５０の一部を収容する。収容凹部４１は、基準面４０と平行な底面４１ａと、底面４１ａの外周部から直交して立ち上がる周壁部４１ｂと、を有している。
【００２９】
底面４１ａには、回動部材５０を回動自在に支持する回動シャフト４２が底面４１ａに直交して立ち上がるよう設けられている。
周壁部４１ｂには、回動シャフト４２を挟んで一方の側と他方の側には、それぞれ回動シャフト４２を中心とした円弧状をなす円弧状面４６Ａ，４６Ｂが形成されている。また、周壁部４１ｂにおいて円弧状面４６Ｂの一端側には、回動部材５０が回動シャフト４２回りに一方の方向に回転したとき（図１１参照）に、回動部材５０の一部が突き当たることによって、その回転角度を規制する第一角度規制部４７Ａが形成されている。また、周壁部４１ｂにおいて円弧状面４６Ｂの他端側には、回動部材５０が回動シャフト４２回りに他方の方向に回転したとき（図１５参照）に、回動部材５０の一部が突き当たることによって、その回転角度を規制する第二角度規制部（回動部材角度規制部）４７Ｂが形成されている。ここで、第一角度規制部４７Ａ，第二角度規制部４７Ｂは、後述する回動部材５０の外周形状に合致する形状に形成されている。
【００３０】
天板ストッパ部４３は、収容凹部４１の外周側に設けられ、基準面４０から側面部３３とは反対側に向けて突出して設けられている。
この天板ストッパ部４３には、ホルダー部材３０を背もたれ部材１２の背面１２ａに固定した状態で、鉛直下方を向く第一ストッパ面（板体角度規制部）４３ａが形成されている。この第一ストッパ面４３ａは、テーブル天板２１を、使用面２１ａを背もたれ部材１２の背面１２ａに対向させた跳上げ状態から使用面２１ａが上方を向く使用状態となるようにテーブル天板２１を一方の方向に回転させたときに(図１４、図１５参照)、テーブル天板２１に設けられたスライドレール８０の一端部８０ａが突き当たるようになっている。
天板ストッパ部４３には、ホルダー部材３０の外周面部３４から第一ストッパ面４３ａに貫通するネジ孔４３ｈが形成されている。図３、図４に示すように、このネジ孔４３ｈにイモネジ４９をねじ込み、第一ストッパ面４３ａから突出させて、ここにスライドレール８０の一端部８０ａを突き当たらせることもできる。この場合、イモネジ４９の第一ストッパ面４３ａからの突出量を調整することによって、使用状態におけるテーブル天板２１の角度を調整することができる。ここで、イモネジ４９をねじ込んだネジ孔３２ｈは、メクラ蓋４９Ｃ等で塞ぐのが好ましい。
また、天板ストッパ部４３には、ホルダーユニット２２を背もたれ部材１２の背面１２ａに固定した状態で、背面１２ａにほぼ平行な第二ストッパ面４３ｂが形成されている。この第二ストッパ面４３ｂは、テーブル天板２１を、使用面２１ａが上方を向く使用状態から、図１０、図１１に示すように、使用面２１ａが背もたれ部材１２の背面１２ａに対向させた跳上げ状態となるようにテーブル天板２１を他方の方向に回転させたときに、テーブル天板２１に設けられたスライドレール８０が突き当たるようになっている。
【００３１】
図６に示すようにガイド溝４４は、収容凹部４１の外周側の基準面４０に連続して形成されている。ここで、ガイド溝４４は、その上端部４４ａから下端部４４ｂに向けて、下方に行くにしたがい回動シャフト４２から外周側に離間するよう形成され、下端部４４ｂは、ホルダー部材３０の外周部に下方を向いて開口して形成されている。ガイド溝４４における上端部４４ａから下端部４４ｂまでの具体的な形状は、例えば、上端部４４ａから天板ストッパ部４３の第二ストッパ面４３ｂと平行に下方に延びる直線部４４ｃと、直線部４４ｃから下方に行くにしたがい前方に向けて湾曲した第一湾曲部４４ｄと、第一湾曲部４４ｄから下方に行くにしたがい第一湾曲部４４ｄとは反対側に湾曲する第二湾曲部４４ｅと、第二湾曲部４４ｅの下端部から天板ストッパ部４３の第二ストッパ面４３ｂと平行に下方に延びる直線部４４ｆと、を備えたものとなっている。これにより、ガイド溝４４は、上端部４４ａに対して下端部４４ｂが前方にオフセットして配置されている。また、ガイド溝４４の下端部４４ｂは、第二ストッパ面４３ｂと平行な方向に開口している。
このガイド溝４４内には、スライドレール８０に設けられたガイド突起８３が挿入され、テーブル天板２１を跳上げ状態と使用状態との間で回動させるときに、ガイド突起８３がガイド溝４４に沿って移動するようになっている。
このようにして、ガイド溝４４およびガイド突起８３は、テーブル天板２１を回動させるときの移動軌跡を案内する案内機構４８として機能する。
【００３２】
天板ガイドブロック部４５は、ガイド溝４４の外周側において、基準面４０から側面部３３とは反対側に向けて突出して設けられている。天板ガイドブロック部４５には、ガイド溝４４に沿った形状に形成されたガイド面４５ａが形成されている。すなわち、ガイド面４５ａは、上方から下方に向けて、天板ストッパ部４３の第二ストッパ面４３ｂと平行に下方に延びる直線部４５ｃと、直線部４５ｃから下方に行くにしたがい前方に向けて湾曲した第一湾曲部４５ｄと、第一湾曲部４５ｄから下方に行くにしたがい第一湾曲部４５ｄとは反対側に湾曲する第二湾曲部４５ｅと、第二湾曲部４５ｅの下端部から天板ストッパ部４３の第二ストッパ面４３ｂと平行に下方に延びる直線部４５ｆと、を備えたものとなっている。
このガイド面４５ａは、テーブル天板２１を回動させるとき（図１２、図１３参照）に、スライドレール８０の一端部８０ａが突き当たり、その移動軌跡を規制する案内機構４８として機能する。ここで、ガイド面４５ａの上端部は、テーブル天板２１が使用状態であるときに、該テーブル天板２１が背面１２ａに接近する方向にスライド移動するのを規制する天板移動規制部（板体移動規制部）４５ｂとされている。
本実施形態では、案内機構４８であるガイド溝４４およびガイド面４５ａは、テーブル天板２１を使用状態から跳ね上げ状態を経て収納状態に向けて移行させるときに、ガイド突起８３およびスライドレール８０の一端部８０ａが、回動シャフト４２を中心として回転しながら下方に下降していくような移動軌跡を描くよう、形成されている。
【００３３】
図７は、回動部材５０の形状を示す図であって、（ａ）は回動プレート部５１側から見た斜視図、（ｂ）はガイドブロック部５３側から見た斜視図、（ｃ）は回動プレート部５１側から見た側面図である。また、図８は、ホルダー部材３０、回動部材５０、ダンパーユニット７０の組み付け状態を示す図であり、ホルダーユニット２２をスライドレール８０に平行な断面で見た断面図である。
図７、図８に示すように、回動部材５０は、ホルダー部材３０の収容凹部４１内に収容される回動プレート部５１と、回動プレート部５１に形成されてダンパーユニット７０を収容するダンパー収容部５２と、テーブル天板２１に設けられたスライドレール８０をガイドするガイドブロック部５３と、を一体に備えている。
【００３４】
回動プレート部５１は、収容凹部４１の深さと同じ左右寸法を有している。回動プレート部５１において、収容凹部４１の底面４１ａに対向する対向面５１ａには、回動シャフト４２が挿入されるシャフト挿入穴５４が形成されている。回動プレート部５１は、シャフト挿入穴５４に回動シャフト４２を挿入した状態で収容凹部４１内に収容され、回動シャフト４２を中心として回動可能とされている。
回動プレート部５１において、対向面５１ａの外周部において対向面５１ａに直交する外周壁部５１ｂは、シャフト挿入穴５４を中心とした円弧状に形成されて円弧状面４６Ａに沿う円弧状面５８Ａと、円弧状面４６Ｂに沿う円弧状面５８Ｂとが形成されている。
さらに、回動プレート部５１の外周壁部５１ｂにおいて円弧状面５８Ｂの一端側には、回動プレート部５１が回動シャフト４２回りに一方の方向に回転したとき（図１１参照）に第一角度規制部４７Ａに突き当たる当たり面５９Ａが形成されている。また、外周壁部５１ｂにおいて円弧状面５８Ｂの他端側には、回動プレート部５１が回動シャフト４２回りに他方の方向に回転したとき（図１５参照）に第二角度規制部４７Ｂに突き当たる当たり面５９Ｂが形成されている。これら当たり面５９Ａ、５９Ｂは、第一角度規制部４７Ａ，第二角度規制部４７Ｂに沿う形状とされている。
このようにして、回動部材５０は、回動プレート部５１が収容凹部４１内で、回動シャフト４２を中心として、当たり面５９Ａが第一角度規制部４７Ａに突き当たる位置と、当たり面５９Ｂが第二角度規制部４７Ｂに突き当たる位置との間で揺動可能とされている。
【００３５】
ダンパーユニット７０を収容するダンパー収容部５２は、回動プレート部５１の対向面５１ａに形成されている。ここで、図３に示すように、ダンパーユニット７０は、ロータリーダンパー機構が内蔵された円柱状の本体７１と、本体７１から突出する回転軸の先端部に設けられたピニオンギヤ７３と、を備えている。本体７１には、外周側に張り出す取付フランジ部７４，７４が形成されている。このダンパーユニット７０は、本体７１に内蔵されたダンパー機構により、ピニオンギヤ７３が設けられた軸周りの回動に対して減衰力を付与する。
図７に示すように、ダンパー収容部５２には、対向面５１ａ側に形成されたダンパーユニット７０の本体７１を収容する本体収容部５２ａと、本体収容部５２ａの底部から回動プレート部５１の対向面５１ａとは反対側の側面５１ｃに貫通し、ダンパーユニット７０の回転軸に設けられたピニオンギヤ７３が貫通する軸収容孔５２ｂとが形成されている。本体収容部５２ａの外周側には、取付フランジ部７４を収容する凹部５２ｃ，５２ｃ、およびネジ孔５２ｄが形成されている。
このようなダンパー収容部５２に対し、ダンパーユニット７０は、本体７１を本体収容部５２ａに収容し、取付フランジ部７４を凹部５２ｃに収容した状態で、取付フランジ部７４に形成された貫通孔を通して取付ネジ７５をネジ孔５２ｄにねじ込むことによって固定される。この状態で、図８に示すように、ダンパーユニット７０のピニオンギヤ７３は、回動プレート部５１の反対側の側面５１ｃを貫通して外部に露出し、メインブロック５６に形成された凹部５６ｃ内に位置するようになっている。このピニオンギヤ７３は、スライドレール８０のラック溝８１に噛み合うようになっている。
【００３６】
図７に示すように、ガイドブロック部５３は、回動プレート部５１の側面５１ｃから、対向面５１ａとは反対側に突出して形成されている。このガイドブロック部５３は、スライドレール８０に沿うガイド面５５を有したメインブロック５６と、メインブロック５６に対して側面５１ｃに沿う方向に離間して形成されたピボットブロック５７と、を備えている。
メインブロック５６のガイド面５５は、第一ガイド面（第一の支持部）５５ａと第二ガイド面（第二の支持部）５５ｂと、を有している。
第一ガイド面５５ａは、回動プレート部５１の当たり面５９Ｂを第二角度規制部４７Ｂに突き当てた状態（図１５参照）で、テーブル天板２１を支持すべき角度（ほぼ水平）になるよう形成されている。第一ガイド面５５ａは、テーブル天板２１が使用状態であるときにテーブル天板２１（スライドレール８０）に突き当たってテーブル天板２１を支持する第一の支持部として機能する。
第二ガイド面５５ｂは、回動プレート部５１の当たり面５９Ａを第一角度規制部４７Ａに突き当てた状態（図１１参照）で、テーブル天板２１を収納すべき角度に合わせて形成された天板ストッパ部４３の第二ストッパ面４３ｂと平行となるよう形成されている。第二ガイド面５５ｂは、第一ガイド面５５ａに対して所定の角度θ１だけ収納状態側に傾斜して形成されている。ここで、回動プレート部５１の当たり面５９Ａを第一角度規制部４７Ａに突き当てた状態において、また、第一ガイド面５５ａに対する第二ガイド面５５ｂの傾斜角度θ１は、例えば１０〜３０°程度の鋭角に設定されている。
【００３７】
また、このメインブロック５６の第一ガイド面５５ａ、第二ガイド面５５ｂは、スライドレール８０の突起部８２ａ、８２ｂと干渉することによって、スライドレール８０の移動ストロークを規制するストッパとしても機能するようになっている。
【００３８】
図９は、テーブル天板２１が収納状態にあるときのホルダーユニット２２を示す斜視図である。図１０は、テーブル天板２１を引き上げた状態（跳上げ状態）にあるときのホルダーユニット２２を示す斜視図である。図１１は、テーブル天板２１を引き上げた状態（跳上げ状態）にあるときのホルダーユニット２２を示す側面図である。図１２は、テーブル天板２１が回動途中にあるときのホルダーユニット２２を示す斜視図である。図１３は、テーブル天板２１が回動途中にあるときのホルダーユニット２２を示す側面図である。図１４は、テーブル天板２１が使用状態にあるときのホルダーユニット２２を示す斜視図である。図１５は、テーブル天板２１が使用状態にあるときのホルダーユニット２２を示す側面図である。
【００３９】
（収納状態）
上述したような構成のテーブル付き椅子１０においては、テーブルユニット２０は、図１（ａ）に示したように、収納状態においては、テーブル天板２１は、その使用面２１ａを背もたれ部材１２の背面１２ａに対向させた状態で、下方にスライドした状態となっている。
図９に示すように、この状態で、回動部材５０は、回動プレート部５１の当たり面５９Ａが、ホルダー部材３０の収容凹部４１に形成された第一角度規制部４７Ａに突き当たっている。さらに、回動部材５０の第二ガイド面５５ｂと、天板ストッパ部４３の第二ストッパ面４３ｂ、および天板ガイドブロック部４５のガイド面４５ａが、スライドレール８０の両側に沿っている。
【００４０】
（引き上げ動作）
この状態から、後列に着席した使用者がテーブルユニット２０を使用するときには、まず、図１０、図１１に示すように、テーブル天板２１を上方に引き上げる。このとき、スライドレール８０は、それぞれ、回動部材５０の第二ガイド面５５ｂ、ホルダー部材３０の天板ストッパ部４３の第二ストッパ面４３ｂ、および天板ガイドブロック部４５のガイド面４５ａにより両側をガイドされた状態で上方に移動する（跳上げ状態）。
すると、スライドレール８０に設けられたガイド突起８３が、ガイド溝４４の下端部４４ｂに入り込む。
【００４１】
（引き倒し動作）
続いて、図１２、図１３に示すように、テーブル天板２１を跳上げた状態から手前に回動させる。
このとき、まず、テーブル天板２１に設けられたスライドレール８０のみが、回動部材５０の第一ガイド面５５ａに突き当たるまで、回動部材５０に先行して回動する。このとき、スライドレール８０は、回動部材５０のピボットブロック５７にガイドされながら、メインブロック５６の第一ガイド面５５ａと第二ガイド面５５ｂとの間の頂部５６ｐを中心として回動する。
そして、スライドレール８０が第一ガイド面５５ａに突き当たった後は、テーブル天板２１のスライドレール８０とともに、回動部材５０が、ホルダーユニット２２の収容凹部４１内で回動シャフト４２回りに一体に回動する。
【００４２】
テーブル天板２１の回動動作中、スライドレール８０のガイド突起８３がホルダー部材３０のガイド溝４４に沿って案内されるとともに、スライドレール８０の一端部８０ａが天板ガイドブロック部４５のガイド面４５ａに沿って案内される。ここで、回動部材５０の回動軸心である回動シャフト４２の中心としたときに、ガイド突起８３がガイド溝４４の下端部４４ｂに位置している状態（図１１参照）におけるガイド突起８３およびスライドレール８０の一端部８０ａにの位置を通る円を仮想円Ｃ１，Ｃ２とする。すると、ガイド溝４４およびガイド溝４４に沿って形成されたガイド面４５ａは、仮想円Ｃ１、Ｃ２に対し、上方に行くにしたがって内周側に離間するよう形成されている。また、スライドレール８０が回動部材５０に対して回動自在かつスライド自在とされている。したがって、テーブル天板２１を引き倒そうとすると、ガイド突起８３およびスライドレール８０の一端部８０ａがガイド溝４４およびガイド面４５ａにガイドされることによって、ガイド突起８３およびスライドレール８０の一端部８０ａは、上方に変位するにしたがって、徐々に内周側に変位して回動シャフト４２に近接していく。これにより、テーブル天板２１は、引き倒される方向に回動しながら、使用者側（前方）にスライドするようになっている。
さらに、上記のテーブル天板２１の回動動作中に、スライドレール８０がスライドすると、スライドレール８０のラック溝８１に噛み合うピニオンギヤ７３が回転して、ダンパーユニット７０の本体７１のダンパー機構が作動する。したがって、スライドレール８０のスライド動作と平行して行われるテーブル天板２１の回動動作もダンパーユニット７０により減衰されるので、テーブル天板２１を手前に倒す動作を、スムーズかつ上質に行うことができ、回動動作に対して作用する専用のダンパーを別途設ける必要が無くなる。
【００４３】
（使用状態）
そして、図１３、図１４に示すように、回動部材５０の回動プレート部５１に形成された当たり面５９Ｂが、ホルダー部材３０の収容凹部４１に形成された第二角度規制部４７Ｂに突き当たると、回動部材５０およびテーブル天板２１の回動動作が規制される。
この状態で、スライドレール８０は、その上下がホルダー部材３０の第一ストッパ面４３ａ（またはイモネジ４９）と、回動部材５０の第一ガイド面５５ａとに突き当たって支持されることによって、使用面２１ａが上方を向いた使用状態に支持される。また、この状態で、スライドレール８０に設けられた突起部８２ａが、回動部材５０の第二ガイド面５５ｂとスライドレール８０との間に収まるようになっている。
【００４４】
（使用状態からの跳ね上げ動作）
テーブル天板２１を使用状態から跳上げて収納するには、上記の手順と逆に、テーブル天板２１の手前側を上方に跳上げる。このとき、スライドレール８０に設けられた突起部８２ａが、回動部材５０の第二ガイド面５５ｂに突き当たっているため、テーブル天板２１と回動部材５０とが一体に回動する。
図１２、図１３に示したように、テーブル天板２１の回動動作中、スライドレール８０のガイド突起８３がホルダー部材３０のガイド溝４４に沿って案内されるとともに、スライドレール８０の一端部８０ａが天板ガイドブロック部４５のガイド面４５ａに沿って案内される。ここで、回動部材５０の回動軸心である回動シャフト４２の中心としたときに、ガイド突起８３がガイド溝４４の上端部４４ａに位置している状態（図１５参照）におけるガイド突起８３およびスライドレール８０の一端部８０ａの位置を通る円を仮想円Ｃ３，Ｃ４とする。すると、ガイド溝４４およびガイド溝４４に沿って形成されたガイド面４５ａは、仮想円Ｃ３、Ｃ４に対し、下方に行くにしたがって外周側に離間するよう形成されている。したがって、テーブル天板２１を使用状態から跳ね上げようとすると、ガイド突起８３およびスライドレール８０の一端部８０ａがガイド溝４４およびガイド面４５ａにガイドされることによって、ガイド突起８３およびスライドレール８０の一端部８０ａは、下方に変位するにしたがって、徐々に外周側に変位して回動シャフト４２から離間していく。
これにより、テーブル天板２１は、跳ね上げられる方向に回動しながら、下方にスライドするようになっている。これにより、回動動作中にスライドレール８０がスライドすることによって、突起部８２ａが、回動部材５０の第二ガイド面５５ｂに突き当たった位置から離間していく。
このとき、ガイド溝４４およびガイド面４５ａの上部は直線部４４ｃ，４５ｃであるため、テーブル天板２１の回動動作の初期段階では、ガイド突起８３およびスライドレール８０の一端部８０ａが、仮想円Ｃ３，Ｃ４から外周側に速やかに離間するので、テーブル天板２１の回動と下方へのスライドとが並行して行われやすい。そして、ガイド溝４４およびガイド面４５ａの中間部には、第一湾曲部４４ｄが形成されているため、ガイド突起８３およびスライドレール８０の一端部８０ａの下方への移動速度が減速され、テーブル天板２１の急激な落下を抑えることができる。
さらに、上記のテーブル天板２１の回動動作中に、スライドレール８０がスライドすると、スライドレール８０のラック溝８１に噛み合うピニオンギヤ７３が回転して、ダンパーユニット７０の本体７１のダンパー機構が作動する。したがって、スライドレール８０のスライド動作と平行して行われるテーブル天板２１の回動動作もダンパーユニット７０により減衰されるので、テーブル天板２１を跳ね上げる動作を、スムーズかつ上質に行うことができる。
【００４５】
（跳上げ状態）
そして、図１０、図１１に示すように、回動部材５０の回動プレート部５１に形成された当たり面５９Ａが、ホルダー部材３０の収容凹部４１に形成された第一角度規制部４７Ａに突き当たると、回動部材５０およびテーブル天板２１の跳上げ方向への回動動作が規制される。これにより、テーブル天板２１は、使用面２１ａを背もたれ部材１２の背面１２ａ側に対向させた状態となる。
また、この状態で、スライドレール８０は、回動部材５０の第二ガイド面５５ｂと、天板ストッパ部４３の第二ストッパ面４３ｂ、および天板ガイドブロック部４５のガイド面４５ａによって、その両側がガイドされた状態（跳上げ状態）となる。
【００４６】
（収納状態への下降動作）
この後、テーブル天板２１を下降させると、スライドレール８０は、回動部材５０の第二ガイド面５５ｂと、天板ストッパ部４３の第二ストッパ面４３ｂ、および天板ガイドブロック部４５のガイド面４５ａによって、その両側がガイドされながら下降する。
このとき、スライドレール８０のスライドにより、ダンパーユニット７０のダンパー機構が作動し、テーブル天板２１の下降動作がダンパーユニット７０により減衰される。これによって、スライドレール８０が急激に落下するのを防ぐとともに、その下降動作をスムーズかつ上質に行うことができる。
そして、図９に示したように、スライドレール８０の他端部に設けられた突起部８２ｂが回動部材５０のガイドブロック部５３のメインブロック５６に突き当たることによって、テーブル天板２１の下降動作が規制される。これにより、テーブル天板２１は、使用面２１ａを背もたれ部材１２の背面１２ａに対向させて収納される。
【００４７】
上述したような構成によれば、ホルダーユニット２２は、テーブル天板２１が使用状態であるときに回動部材５０に突き当たることで回動部材５０の回転角度を規制する第二角度規制部４７Ｂと、テーブル天板２１が使用状態であるときに突き当たることでテーブル天板２１の角度を規制する第一ストッパ面４３ａと、を備えている。また、回動部材５０は、テーブル天板２１が使用状態であるときにテーブル天板２１に突き当たり、テーブル天板２１を支持する第一ガイド面５５ａと、第一ガイド面５５ａに対して収納状態側に所定角度傾斜し、テーブル天板２１が収納状態であるときにテーブル天板２１に突き当たる第二ガイド面５５ｂと、を備えている。そして、テーブル天板２１を収納状態から使用状態に向けて回動させるときに、テーブル天板２１が第二ガイド面５５ｂから離間して所定角度θ１だけ回動し、第一ガイド面５５ａに突き当たった状態でテーブル天板２１が回動部材５０と一体に回動する。
このような構成により、テーブル天板２１を収納状態から使用状態に向けて回動させるときには、第二ガイド面５５ｂに突き当たっていたテーブル天板２１のみが回動して、第二ガイド面５５ｂから離間し、第一ガイド面５５ａに突き当たるまでの第一の段階と、テーブル天板２１が第一ガイド面５５ａに突き当たってから回動部材５０と一体に回動する第二の段階と、を経ることとなる。このようにして、テーブル天板２１は二段階に回動する。そして、図１１に示すように、第一の段階では、テーブル天板２１と第一ガイド面５５ａに隙間Ｓが生じているが、その隙間Ｓは、第一ガイド面５５ａに対する第二ガイド面５５ｂの傾斜角度に応じたものであり、使用者の指が挟まりにくいものとすることができる。
また、第二の段階では、テーブル天板２１が回動部材５０と一体に回動するが、収納状態から使用状態までの回動部材５０の回動角度は、第一の段階でテーブル天板２１のみが回動しているため、その分だけ小さくて済む。したがって、回動部材５０の周囲に形成される隙間も小さくて済み、この点においても使用者の指が挟まりにくい。
【００４８】
また、使用面２１ａを上方に向けた使用状態においては、テーブル天板２１が回動部材５０に設けられた第一ガイド面５５ａとホルダーユニット２２に設けられた第一ストッパ面４３ａにより支持される。このためテーブル天板２１の支持強度を大きくすることができる。その結果、ホルダーユニット２２が大型化して外観体裁を損なったり、ホルダーユニット２２が椅子１０から大きく突出して有効空間内での椅子１０の並設可能数を減らすのを防ぐことができる。
【００４９】
また、回動部材５０は、テーブル天板２１をテーブル天板２１の側端部のスライドレール８０に沿ってスライド移動自在に支持し、ホルダーユニット２２は、テーブル天板２１が使用状態であるときに、該テーブル天板２１が背面１２ａに接近する方向に移動するのを規制する天板移動規制部４５ｂを備えているようになっている。
このような構成により、テーブル天板２１は、使用状態であるときのみ天板移動規制部４５ｂによりスライド移動が規制されており、使用状態と収納状態との間の回動動作中や、収納状態にあるときには、天板移動規制部４５ｂによる規制が解除され、テーブル天板２１のスライド移動が可能な状態となっている。
【００５０】
そして、テーブル天板２１を使用状態から収納状態に向けて回動させるときには、テーブル天板２１の回動動作とテーブル天板２１の下方へのスライド動作とが並行して行われるようテーブル天板２１を案内する案内機構４８を備えている。
これにより、テーブル天板２１を、使用面２１ａが上方を向いた使用状態から回動させて使用面２１ａを背もたれ部材１２の背面１２ａに対向させた後、さらに背面１２ａに対向した状態のまま下方にスライドさせて収納させる場合に、テーブル天板２１の回動動作とスライド動作とを並行して行うことにより、これら二つの動作を２段階に行う場合に比較して、短時間でテーブル天板２１を収納できる。また、回動動作とスライド動作が並行して行われることにより、テーブル天板２１の動作がスムーズな上質なものとなる。さらに、回動動作が完了した時点では、スライド動作の一部も終えているため、その後に行われるスライド動作の移動ストロークが小さくて済む。これにより、テーブル天板２１が下方にスライドするときに生じる衝撃等を小さくすることが可能となる。
【００５１】
そして、上記案内機構４８は、ホルダーユニット２２に形成されたガイド溝４４と、テーブル天板２１に設けられ、ガイド溝４４内に挿入されるガイド突起８３と、を備えている。
このような案内機構４８においては、テーブル天板２１を回動させるときに、テーブル天板２１に設けられたガイド突起８３がガイド溝４４に沿って案内されることによって、回動動作とスライド動作を確実に並行して行うことができる。
【００５２】
さらに、案内機構４８は、テーブル天板２１を使用状態から収納状態に向けて回動させるときに、テーブル天板２１の一部が突き当たりながら摺動するガイド面４５ａを備えている。このようにテーブル天板２１の一部をガイド面４５ａで案内することによっても、回動動作とスライド動作を確実に並行して行うことができる。
また、案内機構４８を構成するガイド溝４４およびガイド面４５ａは、少なくとも上下の端部に、直線部４４ｃ，４５ｃおよび４４ｆ，４５ｆを有している。したがって、ガイド溝４４およびガイド面４５ａの全域を円弧状に形成し、テーブル天板２１を回動動作とスライド動作とを別々に行う構成に比較し、案内機構４８の前後方向の寸法を抑えることができる。これにより、ホルダーユニット２２の前後方向の大きさを小さくすることが可能となる。その結果、ホルダーユニット２２が大型化して外観体裁を損なったり、ホルダーユニット２２が椅子１０から大きく突出して有効空間内での椅子１０の前後方向における並設可能数を減らすのを防ぐことができる。
また、案内機構４８は、案内機構４８を構成するガイド溝４４およびガイド面４５ａは、上下方向の中間部に、第一湾曲部４４ｄ，４５ｄを備えているので、ガイド突起８３およびスライドレール８０の一端部８０ａの下方への移動速度が減速され、テーブル天板２１の急激な落下を抑えることができる。
【００５３】
また、回動部材５０に、テーブル天板２１がスライド移動したときに減衰力を付与するダンパーユニット７０が設けられている。これにより、ダンパーユニット７０によってテーブル天板２１のスライド移動に減衰力が付与され、テーブル天板２１が急激にスライドするのを防ぎ、スムーズにスライドさせることができる。また、テーブル天板２１が回動するときや回動しながらスライドするときも、テーブル天板２１に減衰力を付与することもできる。
【００５４】
この他、回動部材５０は、回動シャフト４２回りに回動するときに、円弧状面５８ｂが、収容凹部４１の円弧状面４６Ｂに沿っているため、回動部材５０の荷重が、回動シャフト４２と円弧状面４６Ｂの２点で支持されている。このようにして、回動シャフト４２に荷重が集中するのを避け、荷重を分散して支持できる構成となっている。このようにして、回動部材５０のホルダー部材３０に対する接触面積を増大させることができ、この点においてもテーブル天板２１の支持強度を高めることができる。
【００５５】
（その他の実施形態）
なお、本発明は、図面を参照して説明した上述の実施形態に限定されるものではなく、その技術的範囲において様々な変形例が考えられる。
例えば、上記実施形態では、回動部材５０の外径形状が、ダンパーユニット７０の本体７１に沿ったような形状を有しているが、これに限るものではなく、適宜他の形状としてもよい。
また、テーブル天板２１の面積や重量によっては、テーブル天板２１を跳ね上げ状態から使用状態に引き倒す方向に回動させるときに作用するダンパーユニットを別途設けてもよい。
【００５６】
また、ガイド溝４４に沿って移動するガイド突起８３は、例えば先端にボールベアリング等を備えてガイド溝４４との間の摩擦抵抗を抑えるようにしてもよい。
さらに、ガイド溝４４やガイド面４５ａは、テーブル天板２１を回動させるときの、ガイド突起８３が設けられたスライドレール８０の一端部８０ａの移動軌跡を規制するが、テーブル天板２１を跳ね上げるときには、ガイド突起８３，スライドレール８０の一端部８０ａが下方に行くにしたがい、回動シャフト４２から外周側に離間し、テーブル天板２１を引き起こすときには、ガイド突起８３，スライドレール８０の一端部８０ａが上方に行くにしたがい、内周側の回動シャフト４２に接近するものが好ましく、その形状については何ら限定するものではない。例えば、直線部４４ｃ，４５ｃを長くし、使用状態からテーブル天板２１を跳ね上げるときに、回動動作の初期段階で、テーブル天板２１をより早く下方にスライドするようにしてもよい。また、第一湾曲部４４ｄ，４５ｄの曲率半径を小さくし、テーブル天板２１の下降速度をより効果的に減速できる構成としてもよい。
また、例えば、ガイド溝４４やガイド面４５ａに直線部４４ｃ，４５ｃを設けずに、その全域をゆるやかな曲線状としてもよい。ただし、その場合はホルダーユニット２２が前後方向に大きくなってしまうため、ホルダーユニット２２が椅子１０から大きく突出して有効空間内での椅子１０の前後方向における並設可能数が減少してしまうこともある。
これ以外にも、テーブル天板２１の面積や重量、動作時のガタ等に配慮して、ガイド溝４４やガイド面４５ａの形状は適宜設定することが可能である。
また、上記実施形態では、ガイド溝４４およびガイド面４５ａにより、ガイド突起８３，スライドレール８０の一端部８０ａを案内するようにしたが、ガイド溝４４およびガイド面４５ａの一方のみを備える構成とすることもできる。
【００５７】
なお、突起部８２ａを回動部材５０の第二ガイド面５５ｂに突き当てるのではなく、例えば回動部材５０のメインブロック５６の外周部に突き当てることにようにしてもよい。このような構成とした場合、テーブル天板２１の手前側を上方に跳上げるときには、まず、テーブル天板２１（スライドレール８０）のみが先行して回動し、スライドレール８０が回動部材５０の第二ガイド面５５ｂに突き当たった後に、テーブル天板２１と回動部材５０とが一体に回動するようになる。
【００５８】
さらに、上記実施形態では、テーブル天板２１を回動させるだけでなく、跳上げ状態からスライドさせて収納状態とするようにしたが、使用状態から跳上げるのみで収納状態とする構成においても、上記と同様の効果を得ることができる。
この他、上記実施形態で示した各構成部品の形状や構造は、適宜変更することができる。
また、上記実施形態では、１脚のテーブル付き椅子１０のみを図示して説明したが、このようなテーブル付き椅子１０を複数連結して一体ユニットとした構成としても良い。
また、最前列のテーブル付き椅子１０には、その前方にテーブル付き椅子１０が設置されていないため、最前列のテーブル付き椅子１０の利用者用として、その前方にテーブルユニット２０を支持する支持板や支持脚を設け、これにテーブルユニット２０を設置するようにしてもよい。
さらに、テーブル付き椅子１０に限らず、跳ね上げ式の板体を備えるのであれば、他のいかなる家具にも本発明を適用することが可能である。
加えて、上記実施形態では、本発明における板体としてテーブル天板２１を例に挙げたが、これに限るものではなく、例えば、座を跳ね上げて着座するタイプの椅子の場合、座を支持する機構に上記実施形態と同様の構成を適用してもよい。
これ以外にも、本発明の主旨を逸脱しない限り、上記実施の形態で挙げた構成を取捨選択したり、他の構成に適宜変更することが可能である。
【符号の説明】
【００５９】
１０  テーブル付き椅子（家具）
１１  支持脚
１２  背もたれ部材（家具本体）
１２ａ  背面（取付面）
２０  テーブルユニット
２１  テーブル天板（板体）
２１ａ  使用面
２２  ホルダーユニット
３０  ホルダー部材（支持部材）
３１  取付面
４０  基準面
４１  収容凹部
４１ａ  底面
４１ｂ  周壁部
４２  回動シャフト
４３  天板ストッパ部
４３ａ  第一ストッパ面（板体角度規制部）
４３ｂ  第二ストッパ面
４４  ガイド溝
４５  天板ガイドブロック部
４５ａ  ガイド面
４５ｂ  天板移動規制部（板体移動規制部）
４６Ａ，４６Ｂ  円弧状面
４７Ａ  第一角度規制部
４７Ｂ  第二角度規制部（回動部材角度規制部）
４８  案内機構
５０  回動部材
５１  回動プレート部
５２  ダンパー収容部
５３  ガイドブロック部
５４  シャフト挿入穴
５５  ガイド面
５５ａ  第一ガイド面（第一の支持部）
５５ｂ  第二ガイド面（第二の支持部）
５６  メインブロック
５６ａ  湾曲面
５６ｃ  凹部
５７  ピボットブロック
５８Ａ，５８Ｂ  円弧状面
５９Ａ，５９Ｂ  当たり面
６０Ａ，６０Ｂ  ストッパ部
７０  ダンパーユニット（ダンパー部材）
７１  本体
７２  回転軸
７３  ピニオンギヤ
８０  スライドレール（側端部）
８０ａ  一端部
８０ｂ  側面
８１  ラック溝
８２ａ，８２ｂ  突起部
８３  ガイド突起
【図１】
2015000182.tif 000003
【図２】
2015000182.tif 000004
【図３】
2015000182.tif 000005
【図４】
2015000182.tif 000006
【図５】
2015000182.tif 000007
【図６】
2015000182.tif 000008
【図７】
2015000182.tif 000009
【図８】
2015000182.tif 000010
【図９】
2015000182.tif 000011
【図１０】
2015000182.tif 000012
【図１１】
2015000182.tif 000013
【図１２】
2015000182.tif 000014
【図１３】
2015000182.tif 000015
【図１４】
2015000182.tif 000016
【図１５】
2015000182.tif 000017